(57)【要約】【課題】再書き込みを行わずに表示する画像を切り替える。【解決手段】表示部３は、表示される画像を規定する電位を保持するデジタルメモリ素子６１８ａ〜６１８ｄと、該デジタルメモリ素子６１８ａ〜６１８ｄが保持する電位が供給されることによって表示を行う液晶セル６１４ａ〜６１４ｄとを含み、表示部３を構成する画素のうち、表示画素群に属する画素では、デジタルメモリ素子６１８ａ、６１８ｄから液晶セル６１４ａ、６１４ｄへ上記電位を供給して、表示部３に画像を表示し、かつ、非表示画素群に属する画素では、デジタルメモリ素子６１８ｂ、６１８ｃから液晶セル６１４ｂ、６１４ｃへ上記電位を供給せず、表示部３に画像を表示しないように制御するための、切替配線６、分岐配線７、デジタルメモリ素子６２１、及びＡＮＤ回路６２２ａ〜６２２ｄを備えているので、再書き込みを行わずに表示する画像を切り替えることができる。【選択図】図１
2011013642.tif 000002
【特許請求の範囲】
【請求項１】
マトリクス状に配列した複数の画素からなる表示部を備え、複数の画像を切り替えて表示する表示装置であって、
上記複数の画素のそれぞれは、上記表示部に表示される画像を規定する電位を保持する記憶素子と、該記憶素子が保持する電位が供給されることによって表示を行う表示素子とを含み、
上記複数の画素のそれぞれは複数の群の何れか１つに属し、
上記複数の群のそれぞれは、各群に属する画素が上記表示部に均一に配列しており、
上記複数の群の少なくとも何れか１つである表示画素群に属する画素では、上記記憶素子から上記表示素子へ上記電位を供給して、上記複数の画像の何れか１つを表示部に表示し、かつ、
上記複数の群のうち上記表示画素群以外の非表示画素群に属する画素では、上記記憶素子から上記表示素子へ上記電位を供給せず、表示部に画像を表示しないように制御する表示制御手段を備えていることを特徴とする表示装置。
【請求項２】
上記表示制御手段は、所定の電位が供給される切替配線を含み、
該切替配線に上記所定の電位が供給されなくなったときに、所定の電位が供給されているときとは異なる画素の群を上記表示画素群とすることによって、上記表示部に表示させる画像を切り替えることを特徴とする請求項１に記載の表示装置。
【請求項３】
複数の画素からなる表示部を備え、複数の画像を切り替えて表示する表示装置であって、
上記複数の画素のそれぞれは、上記表示部に表示される複数の画像をそれぞれ規定する電位を保持する複数の記憶素子と、該複数の記憶素子の何れか１つが保持する電位が供給されることによって表示を行う表示素子とを含み、
上記複数の画像の何れか１つを表示する際に、
上記複数の画素のそれぞれにおいて、当該画像を規定する電位を保持する記憶素子から、当該画素に含まれる表示素子に上記電位を供給して、表示部に画像を表示し、かつ、
他の画像を規定する電位を保持する記憶素子からは当該表示素子に上記電位を供給しないように制御する表示制御手段を備えていることを特徴とする表示装置。
【請求項４】
上記表示制御手段は、所定の電位が供給される切替配線を含み、
該切替配線に所定の電位が供給されなくなったときに、各画素において、表示素子に電位を供給する記憶素子を、所定の電位が供給されているときとは異なる記憶素子に切り替えることによって、上記表示部に表示させる画像を切り替えることを特徴とする請求項３に記載の表示装置。
【請求項５】
封緘する対象物の封緘位置に貼り付けられる封緘具であって、
請求項２または４に記載の表示装置と、該表示装置の切替配線に上記所定の電位を供給する電源部とがシート材上に固定されており、
上記シート材には、上記対象物が開封されるときに切断される切断部が設けられており、
上記シート材を上記切断部で切断することによって、上記電源部と上記切替配線との接続が切れるように上記切替配線が上記シート材上に固定されていることを特徴とする封緘具。
【発明の詳細な説明】
【技術分野】
【０００１】
本発明は、データの再書み込みを行わずに表示する画像を切り替える表示装置等に関する。
【背景技術】
【０００２】
従来から、商品管理技術の１つとして、商品の開封検出技術が広く用いられている。例えば、下記の特許文献１には、商品の開封を検出することのできる封緘シールが開示されている。
【０００３】
特許文献１に記載の封緘シールは、基材層と、コレステリック液晶層と、部分剥離層と、粘着層とを含む構成である。そして、各層間の粘着力を調整することによって、商品に貼り付けた封緘シールを剥がしたときに、部分剥離層の一部がコレステリック液晶層と共に粘着層上に残るようしている。
【０００４】
上記の構成によれば、封緘シールを剥がしたときには、コレステリック液晶層の形状が変化し、これにより当該封緘シールの外観が変化する。このため、上記封緘シールを商品管理に使用するユーザは、商品の封緘に上記封緘シールを用いることによって、外観の変化により封緘シールが剥がされたことを認識することができ、これにより当該商品が開封されたことを認識することができる。
【０００５】
しかしながら、特許文献１の技術は、層間の粘着力の差異に基づいた物理形状の変化を利用したものであるから、表示可能な内容に限りがあるという問題がある。
【０００６】
すなわち、特許文献１の封緘シールでは、封緘シールを剥がす前の状態において、文字や模様が視認されるようにすることはできても、封緘シールを剥がした後に、剥がす前とは別の文字や模様が視認されるようにすることは困難である。
【先行技術文献】
【特許文献】
【０００７】
【特許文献１】特開２００５−１３４８１８号公報（２００５年５月２６日公開）
【発明の概要】
【発明が解決しようとする課題】
【０００８】
ここで、商品の開封をセンサ等で検出し、商品が開封されたか否かを液晶表示装置等の表示装置を用いて表示することも考えられる。この場合には、開封後に任意の文字や模様を表示することができる。例えば、開封前に「封」を表示し、開封後に「開」と表示させることも可能である。これにより、誰にでも開封の有無が容易に認識できる。
【０００９】
しかし、従来の表示装置では、表示させる画像を切り替えるときにデータの再書き込みを行う必要がある。そして、再書き込みを行うためには、書き込み用の電源が必要となり、再書き込みのための制御も必要になる。
【００１０】
このため、封緘用に従来の表示装置を用いた場合、消費電力が大きいため容量の大きいバッテリを搭載する必要があり、再書き込み制御用の制御部を搭載する必要がある。このように、封緘用に従来の表示装置を用いることは、コスト等の面で難があると言え、現実的ではない。
【００１１】
ここで、表示装置において、データの再書み込みを行わずに表示する画像を切り替えることができれば、表示装置の一層の小型化及び省電力化が実現されるので、表示装置を商品の開封の表示に適用することも現実的なものとなる。
【００１２】
また、データの再書み込みを行わずに表示する画像を切り替えることができれば、表示の変化する表示装置を従来と比べて低コストで提供することも可能となる。このような表示装置は商品の開封の表示以外にも、様々な用途への適用が見込まれる。
【００１３】
本発明は、上記の課題を解決するためになされたものであり、その目的は、データの再書み込みを行わずに表示する画像を切り替える表示装置等を提供することにある。
【課題を解決するための手段】
【００１４】
上記の課題を解決するために、本発明に係る表示装置は、マトリクス状に配列した複数の画素からなる表示部を備え、複数の画像を切り替えて表示する表示装置であって、上記複数の画素のそれぞれは、上記表示部に表示される画像を規定する電位を保持する記憶素子と、該記憶素子が保持する電位が供給されることによって表示を行う表示素子とを含み、上記複数の画素のそれぞれは複数の群の何れか１つに属し、上記複数の群のそれぞれは、各群に属する画素が上記表示部に均一に配列しており、上記複数の群の少なくとも何れか１つである表示画素群に属する画素では、上記記憶素子から上記表示素子へ上記電位を供給して、上記複数の画像の何れか１つを表示部に表示し、かつ、上記複数の群のうち上記表示画素群以外の非表示画素群に属する画素では、上記記憶素子から上記表示素子へ上記電位を供給せず、表示部に画像を表示しないように制御する表示制御手段を備えていることを特徴としている。
【００１５】
上記の構成によれば、表示部を構成する各画素は、それぞれ記憶素子及び表示素子を備えており、記憶素子が保持する電位が表示素子に供給されることによって、表示が行われる。つまり、表示部を構成する各画素によって表示される画像は、各画素の備える記憶素子によって予め定められている。
【００１６】
また、上記の構成によれば、１つの表示部を構成する画素が複数の群に分けられており、このうち少なくとも１つが表示画素群となり、表示画素群以外の群は非表示画素群となる。つまり、表示画素群に含まれる各画素をアクティブ（記憶素子から表示素子へ電位が供給される状態）とし、他の画素を非アクティブ（記憶素子から表示素子へ電位が供給されない状態）とすることによって、表示部には１つの画像が表示されるようになっている。これにより、アクティブとする群に応じた、異なる画像を表示することが可能となる。
【００１７】
そして、上記の構成によれば、アクティブとする群、及び非アクティブとする群を制御する表示制御手段を備えている。つまり、上記の構成によれば、表示制御手段によって、表示される画像が切り替えられる。そして、上述のように、各画素は記憶素子を備えているので、表示する画像の切り替えの際に、データの書き込みを行う必要がない。
【００１８】
したがって、上記の構成によれば、データの再書き込みを行わずに、表示する画像を切り替えることができる。
【００１９】
上記表示装置によれば、例えば、複数の群の１つに含まれる各画素によって、「封」の文字が表示されるようにし、複数の群の他の１つに含まれる各画素によって、「開」の文字が表示されるようにすることもできる。
【００２０】
また、上記表示制御手段は、所定の電位が供給される切替配線を含み、該切替配線に上記所定の電位が供給されなくなったときに、所定の電位が供給されているときとは異なる画素の群を上記表示画素群とすることによって、上記表示部に表示させる画像を切り替えることが好ましい。
【００２１】
上記の構成によれば、切替配線への電位の供給を制御することによって、表示部に表示させる画像が切り替わる。これにより、簡単な制御にて、画像の切り替えを行うことが可能になる。
【００２２】
なお、切替配線への電位の供給の制御は、例えばＣＰＵ（Central Processing Unit）等のソフトウェア制御によって行ってもよいし、スイッチやボタン等のハードウェア制御によって行ってもよい。
【００２３】
特に、切替配線への電位の供給の制御は、電源部から切替配線に所定の電位を供給する構成とし、電源部から切替配線への上記電位の供給を切ることで行うことが好ましい。なお、上記電源部は、上記表示装置に組み込まれているものであってもよいし、上記表示装置の外部に存在するものであってもよい。
【００２４】
上記のように、電源部から切替配線に電位を供給する構成とした場合には、電源部と切替配線とを接続する接続配線を切断する、または接続配線を外す等によっても、表示される画像が切り替わる。つまり、この構成によれば、画像切り替えのために、ＣＰＵ、スイッチ、ボタン等の特別な構成を設けなくとも、簡易な構成で画像の切り替えを行うことができる。
【００２５】
また、本発明の上記とは別の表示装置は、上記課題を解決するために、複数の画素からなる表示部を備え、複数の画像を切り替えて表示する表示装置であって、上記複数の画素のそれぞれは、上記表示部に表示される複数の画像をそれぞれ規定する電位を保持する複数の記憶素子と、該複数の記憶素子の何れか１つが保持する電位が供給されることによって表示を行う表示素子とを含み、上記複数の画像の何れか１つを表示する際に、上記複数の画素のそれぞれにおいて、当該画像を規定する電位を保持する記憶素子から、当該画素に含まれる表示素子に上記電位を供給して、表示部に画像を表示し、かつ、他の画像を規定する電位を保持する記憶素子からは当該表示素子に上記電位を供給しないように制御する表示制御手段を備えていることを特徴としている。
【００２６】
上記の構成によれば、表示部を構成する各画素は、それぞれ記憶素子及び表示素子を備えており、記憶素子が保持する電位が表示素子に供給されることによって、表示が行われる。つまり、表示部を構成する各画素によって表示される画像は、各画素の備える記憶素子によって予め定められている。
【００２７】
また、上記の構成によれば、１つの画素が複数の記憶素子を備えているので、何れの記憶素子が保持する電位が表示素子に供給されるかによって、異なる画像が表示される。つまり、電位を供給する記憶素子を切り替えることによって、表示される画像も切り替わるようになっている。
【００２８】
そして、上記の構成によれば、電位を供給する記憶素子を指定し、それ以外の記憶素子が電位を供給しないように制御する表示制御手段を備えている。つまり、上記の構成によれば、表示制御手段によって、表示される画像が切り替えられる。そして、上述のように、画像は記憶素子が保持する電位に基づいて表示されるので、表示する画像の切り替えの際に、データの書き込みを行う必要がない。
【００２９】
したがって、上記の構成によれば、データの再書き込みを行わずに、表示する画像を切り替えることができる。
【００３０】
また、上記表示制御手段は、所定の電位が供給される切替配線を含み、該切替配線に所定の電位が供給されなくなったときに、各画素において、表示素子に電位を供給する記憶素子を、所定の電位が供給されているときとは異なる記憶素子に切り替えることによって、上記表示部に表示させる画像を切り替えることが好ましい。
【００３１】
上記の構成によれば、切替配線への電位の供給を制御することによって、表示部に表示させる画像が切り替わる。これにより、簡単な制御にて、画像の切り替えを行うことが可能になる。
【００３２】
なお、切替配線への電位の供給の制御は、例えばＣＰＵ（Central Processing Unit）等のソフトウェア制御によって行ってもよいし、スイッチやボタン等のハードウェア制御によって行ってもよい。
【００３３】
特に、切替配線への電位の供給の制御は、電源部から切替配線に所定の電位を供給する構成とし、電源部から切替配線への上記電位の供給を切ることで行うことが好ましい。なお、上記電源部は、上記表示装置に組み込まれているものであってもよいし、上記表示装置の外部に存在するものであってもよい。
【００３４】
この場合には、電源部と切替配線とを接続する接続配線を切断する、または接続配線を外す等によっても、表示される画像が切り替わる。つまり、この構成によれば、画像切り替えのために、ＣＰＵ、スイッチ、ボタン等の特別な構成を設けなくとも、簡易な構成で画像の切り替えを行うことができる。
【００３５】
また、本発明に係る封緘具は、封緘する対象物の封緘位置に貼り付けられる封緘具であって、上記表示装置と、該表示装置の切替配線に上記所定の電位を供給する電源部とがシート材上に固定されており、上記シート材には、上記対象物が開封されるときに切断される切断部が設けられており、上記シート材を上記切断部で切断することによって、上記電源部と上記切替配線との接続が切れるように上記切替配線が上記シート材上に固定されている封緘具であれば、商品の開封管理等を容易に行うことができる。
【００３６】
すなわち、上記の構成によれば、商品を開封したときに、シート材が切断部で切断されるような位置に上記封緘具を貼り付けておくことにより、商品が開封されたタイミングで表示される画像を切り替えることができる。これにより、開封の有無を画像で提示することができるので、商品の開封管理等を容易に行うことができる。
【００３７】
なお、シート材の切断部での切断によって電源部と切替配線との接続を切るための構成は特に限定されない。例えば、切断部においてシート材と共に切断されるように、切替配線をシート材上に固定する構成であってもよい。また、例えば切断部においてシート材が切断されたときに、切替配線が電源部から外れるような構成であってもよい。
【発明の効果】
【００３８】
本発明に係る表示装置は、複数の画素のそれぞれは、表示部に表示される画像を規定する電位を保持する記憶素子と、該記憶素子が保持する電位が供給されることによって表示を行う表示素子とを含み、上記複数の画素のそれぞれは複数の群の何れか１つに属し、上記複数の群のそれぞれは、各群に属する画素が上記表示部に均一に配列しており、上記複数の群の少なくとも何れか１つである表示画素群に属する画素では、上記記憶素子から上記表示素子へ上記電位を供給して、上記複数の画像の何れか１つを表示部に表示し、かつ、上記複数の群のうち上記表示画素群以外の非表示画素群に属する画素では、上記記憶素子から上記表示素子へ上記電位を供給せず、表示部に画像を表示しないように制御する表示制御手段を備えている構成である。
【００３９】
また、本発明に係る上記とは別の表示装置は、複数の画素のそれぞれは、表示部に表示される複数の画像をそれぞれ規定する電位を保持する複数の記憶素子と、該複数の記憶素子の何れか１つが保持する電位が供給されることによって表示を行う表示素子とを含み、上記複数の画像の何れか１つを表示する際に、上記複数の画素のそれぞれにおいて、当該画像を規定する電位を保持する記憶素子から、当該画素に含まれる表示素子に上記電位を供給して、表示部に画像を表示し、かつ、他の画像を規定する電位を保持する記憶素子からは当該表示素子に上記電位を供給しないように制御する表示制御手段を備えている構成である。
【００４０】
したがって、データの再書き込みを行わずに、表示する画像を切り替えることができるという効果を奏する。
【図面の簡単な説明】
【００４１】
【図１】本発明の一実施形態に係る表示付封緘シートが備える表示部の構成例を示す回路図である。
【図２】画素メモリ内蔵液晶パネルの構成例を示す回路図である。
【図３】走査信号線に走査信号が入力されることによって、データ信号線に入力されたデータ信号がデジタルメモリ素子にラッチされたときの、走査信号と、デジタルメモリ素子の出力電圧との関係を示す図である。
【図４】同図（ａ）および（ｂ）は、いずれも、デジタルメモリ素子の出力電圧と、液晶セルに印加される電圧との関係の一例を示す図である。
【図５】上記表示付封緘シートの構成例を示す平面図であり、同図（ａ）は切断前の状態の一例を示し、同図（ｂ）は切断後の状態の一例を示している。
【図６】上記表示付封緘シートの使用態様の一例を示す斜視図である。
【図７】上記表示付封緘シートの包装容器への貼り付け方を説明する図である。
【図８】上記表示付封緘シートの表示部に予め書き込んでおくデータについて説明する図であり、同図（ａ）は表示部に予め書き込んでおくデータの一例を示し、同図（ｂ）は切断部での切断前に同図（ａ）のデータに基づいて表示される画像を示し、同図（ｃ）は切断後に表示される画像を示す。
【図９】上記表示部の他の構成例を示す回路図である。
【図１０】包装容器の開封をセンサで検出して表示の切り替えを行う表示付封緘シートの構成例を示す平面図である。
【図１１】本発明の参考例に係る表示付封緘シートの概要を説明する図であり、同図（ａ）は該表示付封緘シートの構成例を示す平面図であり、同図（ｂ）はその使用態様を示す図である。
【発明を実施するための形態】
【００４２】
以下、本発明の実施の形態について、詳細に説明する。まず、本実施形態の表示付封緘シートの概要について、図５から図７に基づいて説明する。
【００４３】
（構成の概要）
図５は、本発明の一実施形態にかかる表示付封緘シート１の構成例を示す平面図であり、同図（ａ）は切断前の状態の一例を示し、同図（ｂ）は切断後の状態の一例を示している。同図（ａ）に示すように、表示付封緘シート（封緘具）１は、台紙（シート材）２に表示部（表示装置）３及び電源部５を貼り付けて、これらを切替配線６で接続した構成である。
【００４４】
台紙２は、切断部４を有している。切断部４は、台紙２を分断するためのものであり、例えば台紙２にミシン目を入れることで形成される。台紙２は、切断部４にて、表示部３が貼付された側と、電源部５が貼付された側との２つの部分に分断することができるようになっている。なお、台紙２は、表示部３等を貼り付けて固定することが可能なものであり、切断部４を形成して分断可能なものであればよく、その素材は、紙に限られない。
【００４５】
表示部３は、マトリクス状に配列した複数の画素を用いて画像を表示するものである。表示部３には、書込端子８が設けられており、書込端子８から予め書き込まれた画像が、表示部３に表示される。同図（ａ）の例では、「封」の文字が表示されている。
【００４６】
ここで、台紙２を切断部４で切断したときには、表示部３の表示は自動的に切り替わるようになっている。例えば、同図（ｂ）の例では、切断部４での切断により、表示部３に表示される文字が「開」に切り替わっている。表示部３の表示切り替えの機構については、後に詳しく説明する。
【００４７】
電源部５は、表示部３に電位を供給するものである。ただし、電源部５は、表示部３に画像を表示させるための電源ではなく、表示部３に表示される画像を切り替えるための電源である。なお、図示していないが、表示部３は電源部５とは別の電源を備えており、電源部５から電位が供給されていない状態でも画像を表示することができる。
【００４８】
切替配線６は、電源部５から表示部３に所定の電位を供給するためのものである。図示のように、切替配線６は、切断部４と交差するように台紙２上に固定されており、切断部４での切断時に切替配線６も切断されるようになっている。
【００４９】
そして、表示部３に表示される画像は、切断部４で台紙２を切断したときに、切替配線６が切断されることによって切り替わる。このため、切替配線６は、切断部４での切断時に台紙２と共に切断される程度の強度のものを用いる。
【００５０】
なお、画像の切り替えは、電源部５から表示部３に所定の電位を供給が停止することをトリガとして行われる。このため、切替配線６が切断される上記の構成に限られず、例えば切断部４での切断時に、切替配線６が電源部５から外れるようになっていてもよい。
【００５１】
分岐配線７は、同図（ａ）（ｂ）に示すように、切替配線６が、切断部４の表示部３側で分岐した配線である。分岐配線７は接地されており、切断部４での切断後も表示部３に接続している。分岐配線７の機能については後述する。
【００５２】
（使用態様）
次に、表示付封緘シート１の使用態様について、図６及び図７に基づいて説明する。図６は、表示付封緘シート１の使用態様の一例を示す斜視図であり、図７は表示付封緘シート１の包装容器への貼り付け方を説明する図である。
【００５３】
図６に示すように、表示付封緘シート１は、袋（対象物）Ｃ１、箱（対象物）Ｃ２等のような包装容器の封緘に用いられる。なお、図７に示すように、台紙２の裏面（表示部３が設けられていない側の面）には、接着部９が設けられており、これにより包装容器に表示付封緘シート１を貼り付けることができる。
【００５４】
上述のように、表示部３の表示は、台紙２を切断部４で切断することによって、切替配線６が切断されたときに自動的に切り替わるようになっている。このため、表示付封緘シート１は、包装容器を開封したときに表示が切り替わるように、該包装容器を開封したときに台紙２が切断部４で分断されるような位置に貼り付ける。
【００５５】
表示付封緘シート１の特徴は、包装容器の開封前（切断部４で分断される前）における表示部３の表示が、包装容器を開封すること（切断部４で分断すること）によって、自動的に切り替わる点にある。
【００５６】
例えば、図５（ａ）（ｂ）のように画像が切り替わる表示部３を用いた場合には、包装容器の開封前には表示部３に「封」と表示される。そして、この包装容器を開封したときには、表示付封緘シート１が切断部４で切断され、切替配線６が切断されるので、表示部３には「開」と表示される。これにより、誰にでも包装容器が開封されたことを明確に認識させることができる。
【００５７】
ここで、表示付封緘シート１の表示部３は、画素メモリ内蔵液晶パネルを応用したものである。そこで、まず、画素メモリ内蔵液晶パネルについて、図２から４に基づいて説明する。
【００５８】
（画素メモリ内蔵液晶パネルの構成）
画素メモリ内蔵液晶パネルは、画素毎に設けられたデジタルメモリ素子の出力電圧を保持することによって、データ信号線および走査信号線への信号を停止しても、画像を表示し続けることができる液晶パネルである。
【００５９】
図２を参照しながら、画素メモリ内蔵液晶パネル１６１の構成例について説明する。図２は、画素メモリ内蔵液晶パネル１６１の構成例を示す回路図である。
【００６０】
画素メモリ内蔵液晶パネル１６１は、同図に示すように、画素毎に、画素部スイッチ素子（ＭＯＳ  ＦＥＴ）６１１と、デジタルメモリ素子（インバータ回路）６１２および６１３と、液晶セル（液晶容量）６１４（表示素子）と、付加回路（エクスクルーシブＮＯＲ回路）６１５とを備えている。なお、デジタルメモリ素子６１２および６１３を総称して、デジタルメモリ素子（記憶素子）６１８と称する。
【００６１】
さらに、画素メモリ内蔵液晶パネル１６１は、同図に示すように、各画素の液晶セル６１４を交流で駆動させるための交流駆動用クロック６１６および共通電極端子（ＣＯＭ）６１７を備えている。
【００６２】
そして、画素部スイッチ素子６１１のゲート端子は、走査信号線ｘｉ（ｉ＝１、２、…、ｎ；ｎは正の整数を示す）に接続されており、また、画素部スイッチ素子６１１のソース端子は、データ信号線ｙｉ（ｉ＝１、２、…、ｍ；ｍは正の整数を示す）に接続されている。
【００６３】
上記構成により、走査信号線ｘｉに走査信号が入力されることによって、データ信号線ｙｉに入力されるデータ信号が、デジタルメモリ素子６１８にラッチされるとともに、該ラッチされたデータ信号（画素値）が、付加回路６１５を介して、液晶セル６１４に書き込まれる。
【００６４】
そして、デジタルメモリ素子６１８へ入力される信号が変化しない間は、デジタルメモリ素子６１８の出力電圧は、前の状態を保持するようになっている。したがって、データ信号線ｙｉおよび走査信号線ｘｉへの信号の入力を停止しても、デジタルメモリ素子６１８の出力電圧は保持されるので、画素メモリ内蔵液晶パネル１６１は、画像を表示し続けることができる。
【００６５】
なお、画素メモリ内蔵液晶パネル１６１は、走査信号を入力する走査信号線を指定することによって、該指定した走査信号線が接続している画素群にのみ、画像を表示させることも可能であるし、また、データ信号を入力するデータ信号線を指定することによって、該指定したデータ信号線が接続している画素群にのみ、画像を表示させることも可能である。
【００６６】
次に、図３を参照しながら、走査信号線ｘｉに走査信号が入力されることによって、データ信号線ｙｉに入力されたデータ信号がデジタルメモリ素子６１８にラッチされたときの、走査信号とデジタルメモリ素子６１８の出力電圧ＥＰ１との関係について説明する。
【００６７】
図３は、走査信号線ｘｉに走査信号が入力されることによって、データ信号線ｙｉに入力されたデータ信号がデジタルメモリ素子６１８にラッチされたときの、走査信号と、デジタルメモリ素子６１８の出力電圧ＥＰ１との関係を示す図である。
【００６８】
データ信号線ｙｉにＨｉｇｈレベル（Ｖ）のデータ信号が入力されている状態において、走査信号線ｘｉにＬｏｗレベル（０）の走査信号が入力されると、デジタルメモリ素子６１８の出力電圧がＨｉｇｈレベルとなる。そして、走査信号がＨｉｇｈレベルに変化するタイミングで、デジタルメモリ素子６１８の出力電圧はＨｉｇｈレベルに固定される。そして、次に走査信号がＬｏｗレベルになるまで、デジタルメモリ素子６１８の出力電圧は保持される。
【００６９】
このように、デジタルメモリ素子６１８は、走査信号線ｘｉの走査信号がＬｏｗレベルになるまで、前の出力電圧を保持する。
【００７０】
次に、図４（ａ）および（ｂ）を参照しながら、デジタルメモリ素子６１８の出力電圧と、液晶セル６１４に印加される電圧との関係について説明する。図４（ａ）および（ｂ）は、いずれも、デジタルメモリ素子６１８の出力電圧と、液晶セル６１４に印加される電圧との関係の一例を示す図である。
【００７１】
デジタルメモリ素子の出力電圧がＨｉｇｈレベルのとき，交流駆動用クロック６１６の出力電圧ＥＰ２に対して、反転した出力電圧ＥＰ３が、付加回路６１５の出力電圧として得られる。したがって、液晶セル６１４には、交流駆動用クロック６１６の出力電圧ＥＰ２と付加回路６１５の出力電圧ＥＰ３との差分である電圧ＥＰ４が印加される（図４（ａ）参照）。
【００７２】
一方、デジタルメモリ素子６１８の出力がＬｏｗレベルのとき，交流駆動用クロック６１６の出力電圧ＥＰ２と同相の電圧ＥＰ５が、付加回路６１５の出力電圧として得られる。この場合、交流駆動用クロック６１６の出力電圧ＥＰ２と付加回路６１５の出力電圧ＥＰ３との差分であるＥＰ６は、常にＬｏｗレベルとなる（図４（ｂ）参照）。したがって、液晶セル６１４には、電圧が印加されない。
【００７３】
以上のように、画素メモリ内蔵液晶パネル１６１では、データを静止画像として継続して表示する場合、画素部スイッチ素子６１１、並びに、デジタルメモリ素子６１８をスイッチングさせる必要がない。そのため、画素メモリ内蔵液晶パネル１６１では、低消費電力化を実現することができる。
【００７４】
（表示部３の回路構成）
表示付封緘シート１が備える表示部３は、上記画素メモリ内蔵液晶パネルの構成に、いくつかの構成を追加することによって、切断部４で台紙２が分断されて切替配線６が切断されたときに、表示が切り替わるようになっている。ここでは、表示部３の詳細な構成について、図１に基づいて説明する。図１は、表示部３の構成例を示す回路図である。
【００７５】
なお、画素メモリ内蔵液晶パネル１６１と同様の構成には同一の参照番号を付し、その説明を省略する。また、番号が同じであれば番号に付された英字にかかわらず、同様の構成である。例えば、デジタルメモリ素子６１８、６１８ａ〜６１８ｄは、何れも同様の構成である。
【００７６】
図示のように、表示部３は、図２に示した画素メモリ内蔵液晶パネル１６１の構成に加えて、電源接続部６１９、抵抗６２０、デジタルメモリ素子（インバータ回路）６２１、及びＡＮＤ回路６２２ａ〜６２２ｄを備えている。これらの構成は、表示部３の表示を切り替えるためのもの（表示制御手段）である。
【００７７】
電源接続部６１９は、電源部５（図５（ａ）（ｂ）参照）を接続するためのものである。電源接続部６１９は、抵抗６２０を介してＧＮＤに接続しており、またデジタルメモリ素子６２１の入力に接続している。さらに、電源接続部６１９は、ＡＮＤ回路６２２ａ、６２２ｄの入力に接続している。
【００７８】
また、図示のように、電源接続部６１９からの配線は、３分岐しており、各分岐が抵抗６２０、デジタルメモリ素子６２１、及びＡＮＤ回路６２２ａ、６２２ｄにそれぞれ接続している。この配線が、図５の切替配線６に相当し、この分岐点と電源接続部６１９との間に切断部４が位置している。つまり、切断部４での切断が行われたときには、表示部３から電源接続部６１９が切り離されるようになっている。また、抵抗６２０が設けられている配線が、図５の分岐配線７に相当する。
【００７９】
デジタルメモリ素子６２１は、電源接続部６１９と、ＡＮＤ回路６２２ｂ、６２２ｃとの間に設けられており、電源接続部６１９からの入力を受けてＡＮＤ回路６２２ｂ、６２２ｃに出力する。
【００８０】
ＡＮＤ回路６２２ａは、デジタルメモリ素子６１８ａ及び電源接続部６１９と付加回路６１５ａとの間に設けられており、デジタルメモリ素子６１８ａ及び電源接続部６１９からの入力を受けて付加回路６１５ａに出力する。ＡＮＤ回路６２２ｄも同様に、デジタルメモリ素子６１８ｄ及び電源接続部６１９と付加回路６１５ｄとの間に設けられており、デジタルメモリ素子６１８ｄ及び電源接続部６１９からの入力を受けて付加回路６１５ｄに出力する。
【００８１】
一方、ＡＮＤ回路６２２ｂは、デジタルメモリ素子６１８ｂと付加回路６１５ｂとの間に設けられている点はＡＮＤ回路６２２ａ、６２２ｄと同様であるが、デジタルメモリ素子６２１及び６１８ｂからの入力を受けて付加回路６１５ｂに出力する点が異なっている。ＡＮＤ回路６２２ｃもＡＮＤ回路６２２ｂと同様に、デジタルメモリ素子６１８ｃと付加回路６１５ｃとの間に設けられており、デジタルメモリ素子６２１及び６１８ｃからの入力を受けて付加回路６１５ｃに出力する。
【００８２】
つまり、ＡＮＤ回路６２２ａ、６２２ｄは、電源接続部６１９と直接接続しているのに対し、ＡＮＤ回路６２２ｂ、６２２ｃは、デジタルメモリ素子６２１を介して電源接続部６１９と接続している。
【００８３】
また、表示部３は、書込端子８、水平走査線ドライバ７００、及びデータ線ドライバ７０１を備えている。なお、これらは、図２には記載していないが、画素メモリ内蔵液晶パネル１６１も備えている構成である。
【００８４】
書込端子８は、表示部３が表示する画像のデータを書き込むための端子であり、水平走査線ドライバ７００及びデータ線ドライバ７０１と接続している。書込電源８００から電源供給しながら、書込端子８から走査信号を水平走査線ドライバ７００に出力させ、データをデータ線ドライバ７０１に出力させることにより、表示部３が表示する画像のデータ（電位）を書き込むことができる。
【００８５】
水平走査線ドライバ７００は、書き込み対象となる走査信号線ｘｉを特定するものであり、データ線ドライバ７０１は、データ信号線ｙｉに書き込み対象となるデータ（電位）を送るものである。
【００８６】
すなわち、表示部３への画像のデータの書き込みは、水平走査線ドライバ７００に書き込み対象となるラインを特定する走査信号を与え、該ラインに書き込むデータをデータ線ドライバ７０１に書き込むことの繰り返しによって行われる。
【００８７】
（切断前における表示）
続いて、表示部３が画像を表示する機構について、同じく図１に基づいて説明する。ここでは、まず切断部４での切断が行われる前の画像表示機構について説明する。
【００８８】
切断部４での切断が行われる前の状態では、電源接続部６１９とデジタルメモリ素子６２１とが接続されているので、デジタルメモリ素子６２１には「１」が入力される。このため、デジタルメモリ素子６２１を介して電源接続部６１９と接続しているＡＮＤ回路６２２ｂ、６２２ｃへの入力は「０」となる。したがって、液晶セル６１４ｂ、６１４ｃは、表示を行わない非アクティブとなる。
【００８９】
一方、ＡＮＤ回路６２２ａ、６２２ｄは、電源接続部６１９と直接接続しているので、ＡＮＤ回路６２２ａ、６２２ｄへの入力は「１」となる。このため、液晶セル６１４ａ、６１４ｄは、アクティブとなり、デジタルメモリ素子６１８ａ、６１８ｄが供給する電位に応じて表示を行う。
【００９０】
（切断後における表示）
切断部４での切断を行った後の状態では、ＡＮＤ回路６２２ａ、６２２ｄ、及びデジタルメモリ素子６２１は、抵抗６２０を介してＧＮＤに接続された状態となる。このため、ＡＮＤ回路６２２ａ、６２２ｄへの入力は、何れも「０」となる。したがって、ＡＮＤ回路６２２ａ、６２２ｄは、表示を行わない。
【００９１】
また、デジタルメモリ素子６２１も抵抗６２０を介してＧＮＤに接続された状態となるため、デジタルメモリ素子６２１への入力も「０」となる。しかし、デジタルメモリ素子６２１からの出力は「１」となるので、デジタルメモリ素子６２１からＡＮＤ回路６２２ｂ、６２２ｃへの入力は、「１」となる。このため、液晶セル６１４ｂ、６１４ｃは、アクティブとなり、デジタルメモリ素子６１８ｂ、６１８ｃから供給される電位に応じて表示を行う。
【００９２】
（まとめ）
以上のように、表示部３は、切断部４での切断前の状態では、電源部５から電源接続部６１９を介して切替配線６に所定の電位「１」が供給される。これにより、液晶セル６１４ａ、６１４ｄがアクティブとなり、液晶セル６１４ａ、６１４ｄを有する画素が表示画素群となる。この結果、これらの画素が備えるデジタルメモリ素子６１８ａ、６１８ｄが保持する電位に基づく画像が表示される。また、液晶セル６１４ｂ、６１４ｃは、非アクティブとなり、液晶セル６１４ｂ、６１４ｃを有する画素は非表示画素群となるため、これらの画素が備えるデジタルメモリ素子６１８ｂ、６１８ｃが保持する電位に基づく画像は表示されない。
【００９３】
ここで、切断部４での切断を行うことにより、電源部５から切替配線６に所定の電位が供給されなくなる。これにより、液晶セル６１４ｂ、６１４ｃがアクティブとなり、液晶セル６１４ａ、６１４ｄが非アクティブとなる。つまり、表示画素群となる画素の群が切り替わる。この結果、デジタルメモリ素子６１８ｂ、６１８ｃが保持する電位に基づく画像が表示され、デジタルメモリ素子６１８ａ、６１８ｄが保持する電位に基づく画像は表示されない状態となる。
【００９４】
以上のように、表示付封緘シート１では、電源接続部６１９を切り離すことによってアクティブとなる液晶セルが切り替わる。これにより、表示付封緘シート１では、従来の表示装置では画像の切り替えに必須であった画像データの再書き込みを要さずに、表示部３に表示される画像を切り替えることを可能にしている。
【００９５】
（書き込みデータの例）
ここで、表示部３に予め書き込んでおくデータの例について図８に基づいて説明する。図８は、表示部３に予め書き込んでおくデータについて説明する図であり、同図（ａ）は表示部３に予め書き込んでおくデータの一例を示し、同図（ｂ）は切断部４での切断前に同図（ａ）のデータに基づいて表示される画像を示し、同図（ｃ）は切断後に表示される画像を示す。
【００９６】
同図（ｂ）の「封」と同図（ｃ）の「開」とを切り替えて表示させるためには、図１の例では、切断前の状態でアクティブな液晶セル（６１４ａ、６１４ｄ、…）を用いて「封」を表示させる必要がある。そして、切断後の状態でアクティブな液晶セル（６１４ｂ、６１４ｃ、…）を用いて「開」を表示させる必要がある。
【００９７】
したがって、表示部３全体として、書き込んでおくべきデータは、「封」と「開」とを組み合わせた同図（ａ）に示すデータとなる。同図（ａ）のデータを書き込んでおくことにより、切断前には「開」を表示する液晶セルが非アクティブとなり、「封」を表示する液晶セルがアクティブとなるので「封」が表示される。また、切断後には「封」を表示する液晶セルが非アクティブとなり、「開」を表示する液晶セルがアクティブとなるので「開」が表示される。
【００９８】
このように、表示部３には、切り替えの対象となる２つの画像が合成された１つの画像を予め書き込んでおけばよいので、データの書き込みを短時間で行うことができる。
【００９９】
なお、上記では、切り替え前の画像を表示させる画素と、切り替え後の画像を表示させる画素とが交互となるように（市松模様となるように）配置する例を示した。しかし、切り替え前の画像を表示させる画素と、切り替え後の画像を表示させる画素との配置は任意である。
【０１００】
ただし、切り替え前の画像を表示させる画素、及び切り替え後の画像を表示させる画素は、何れも表示部３に均等（均一）に配列していることが望ましい。これにより、切り替えの前後を通じて、表示部３の全体を使って画像を表示することができるからである。
【０１０１】
（変形例１）
上記の例では、アクティブとなる液晶セルを切り替えることによって、表示を切り替える例について説明したが、表示の切り替えはこの例に限られない。例えば、１つの液晶セルに複数のデジタルメモリ素子を設けることによって、表示を切り替えることも可能である。
【０１０２】
ここでは、１つの液晶セルに複数のデジタルメモリ素子を設けることによって、表示を切り替える表示部（表示装置）３’について、図９に基づいて説明する。図９は、表示部３’の構成例を示す回路図である。
【０１０３】
（表示部３’の回路構成）
図示のように、表示部３’の各画素には、画素部スイッチ素子６１１、デジタルメモリ素子６１８、及び３ステートゲート・バスバッファ回路６２３が２組設けられている。他の画素についても同様である。なお、３ステートゲート・バスバッファ回路は、ゲートへの入力が「０」のときには入力されたデータをそのまま出力し、ゲートへの入力が「１」のときには出力がハイインピーダンスとなる回路である。
【０１０４】
表示部３’は、電源接続部６１９、抵抗６２０、デジタルメモリ素子６２１、及び３ステートゲート・バスバッファ回路６２３ａ１〜６２３ｄ１、６２３ａ２〜６２３ｄ２によって画像を切り替えて表示する。つまり、これらの構成が表示制御手段に相当する。
【０１０５】
３ステートゲート・バスバッファ回路６２３ａ１は、デジタルメモリ素子６１８ａ１と付加回路６１５ａとの間に設けられており、またデジタルメモリ素子６２１と接続されている。３ステートゲート・バスバッファ回路６２３ａ１は、デジタルメモリ素子６１８ａ１及びデジタルメモリ素子６２１の出力を受けて、付加回路６１５ａに出力する。３ステートゲート・バスバッファ回路６２３ｂ１〜６２３ｄ１も同様である。
【０１０６】
一方、３ステートゲート・バスバッファ回路６２３ａ２は、デジタルメモリ素子６１８ａ２と付加回路６１５ａとの間に設けられている点は、３ステートゲート・バスバッファ回路６２３ａ１と同様であるが、電源接続部６１９が直接接続されている点が異なっている。３ステートゲート・バスバッファ回路６２３ａ２は、デジタルメモリ素子６１８ａ２及び電源接続部６１９の出力を受けて、付加回路６１５ａに出力する。３ステートゲート・バスバッファ回路６２３ｂ２〜６２３ｄ２も同様である。
【０１０７】
また、図示のように、表示部３’は、データの書き込みを行う対象となるデジタルメモリ素子を選択するために、ＡＮＤ回路６２４ａ〜６２４ｄ、及びデジタルメモリ素子６２５を備えている。
【０１０８】
ＡＮＤ回路６２４ａは、水平走査線ドライバ７００からの入力、及び書込端子８’の書込メモリ選択配線からの入力を受けて、画素部スイッチ素子６１１ａ１のゲート端子に出力する。ＡＮＤ回路６２４ｃも同様に、水平走査線ドライバ７００からの入力、及び書込端子８’の書込メモリ選択配線からの入力を受けて、画素部スイッチ素子６１１ｃ１のゲート端子に出力する。
【０１０９】
一方、ＡＮＤ回路６２４ｂは、水平走査線ドライバ７００からの入力、及びデジタルメモリ回路６２２からの入力を受けて、画素部スイッチ素子６１１ｂ１のゲート端子に出力する。つまり、ＡＮＤ回路６２４ｂは、デジタルメモリ回路６２２を介して書込端子８’の書込メモリ選択配線からの入力を受ける点で、ＡＮＤ回路６２４ａ及び６２４ｃと異なっている。ＡＮＤ回路６２４ｄもＡＮＤ回路６２４ｂと同様に、水平走査線ドライバ７００からの入力、及びデジタルメモリ回路６２２からの入力を受けて、画素部スイッチ素子６１１ｄ１のゲート端子に出力する。
【０１１０】
（データの書き込み）
次に、表示部３’へのデータの書き込み方法について、同じく図９に基づいて説明する。表示部３’へのデータの書き込み方法は、基本的には表示部３の場合と同じであり、１ライン分のデータをデータ線ドライバ７０１に書き込み、水平走査線ドライバ７００に上記ラインを特定する走査信号を与えることの繰り返しによって行われる。
【０１１１】
ただし、表示部３’は、各画素が２つのデジタルメモリ素子を有しているので、データを書き込む際には、何れのデジタルメモリ素子にデータを書き込むかを指定する必要がある。これは、書込端子８’に書込メモリ選択信号を入力することによって行われる。
【０１１２】
すなわち、書込メモリ選択信号を「１」とした場合には、書込端子８’からＡＮＤ回路６２４ａへの入力も「１」となる。このため、走査信号線ｘｉに「１」を入力することで、ＡＮＤ回路６２４ａからの出力が「１」となり、これによりデジタルメモリ素子６１８ａ１にデータ信号線ｙｉからのデータが書き込まれ、デジタルメモリ素子６１８ｂ１にデータ信号線ｙｉ＋１からのデータが書き込まれる。以下同様に、ＡＮＤ回路６２４ａを介して走査信号線ｘｉに接続する各デジタルメモリ素子にデータの書き込みが行われる。
【０１１３】
ＡＮＤ回路６２４ｃについても同様であり、書込メモリ選択信号を「１」とした状態で、走査信号線ｘｉ＋１に「１」を入力することで、ＡＮＤ回路６２４ｃからの出力が「１」となり、これによりデジタルメモリ素子６１８ｃ１にデータ信号線ｙｉからのデータが書き込まれ、デジタルメモリ素子６１８ｄ１にデータ信号線ｙｉ＋１からのデータが書き込まれる。以下同様に、ＡＮＤ回路６２４ｃを介して走査信号線ｘｉ＋１に接続する各デジタルメモリ素子にデータの書き込みが行われる。
【０１１４】
一方、書込メモリ選択信号を「０」とした場合には、デジタルメモリ素子６２５の出力が「１」となる。このため、走査信号線ｘｉに「１」を入力することで、ＡＮＤ回路６２４ｂからの出力が「１」となり、これによりデジタルメモリ素子６１８ａ２にデータ信号線ｙｉからのデータが書き込まれ、デジタルメモリ素子６１８ｂ２にデータ信号線ｙｉ＋１からのデータが書き込まれる。以下同様に、ＡＮＤ回路６２４ｂを介して走査信号線ｘｉに接続する各デジタルメモリ素子にデータの書き込みが行われる。
【０１１５】
ＡＮＤ回路６２４ｄについても同様であり、書込メモリ選択信号を「０」とした状態で、走査信号線ｘｉ＋１に「１」を入力することで、ＡＮＤ回路６２４ｄからの出力が「１」となり、これによりデジタルメモリ素子６１８ｃ２にデータ信号線ｙｉからのデータが書き込まれ、デジタルメモリ素子６１８ｄ２にデータ信号線ｙｉ＋１からのデータが書き込まれる。以下同様に、ＡＮＤ回路６２４ｄを介して走査信号線ｘｉ＋１に接続する各デジタルメモリ素子にデータの書き込みが行われる。
【０１１６】
（切断前における表示）
続いて、表示部３’で画像を表示する機構について、同じく図９に基づいて説明する。ここでは、まず切断部４での切断が行われる前の画像表示機構について説明する。
【０１１７】
切断部４での切断が行われる前の状態では、電源接続部６１９とデジタルメモリ素子６２１とが接続されているので、デジタルメモリ素子６２１には「１」が入力される。このため、デジタルメモリ素子６２１を介して電源接続部６１９と接続している３ステートゲート・バスバッファ回路６２３ａ１〜６２３ｄ１へのゲート入力は何れも「０」となる。したがって、付加回路６１５ａ〜６１５ｄには、それぞれデジタルメモリ素子６１８ａ１〜６１８ｄ１から電位が供給され、これに基づいて画像が表示される。
【０１１８】
一方、３ステートゲート・バスバッファ回路６２３ａ２〜６２３ｄ２は、電源接続部６１９と直接接続しているので、これらの回路へのゲート入力は何れも「１」となり、出力はハイインピーダンスになる。このため、デジタルメモリ素子６１８ａ２〜６１８ｄ２からは電位が供給されない。
【０１１９】
以上のように、切断部４での切断が行われる前の状態では、デジタルメモリ素子６１８ａ１〜６１８ｄ１の保持する電位に基づく画像が表示部３’に表示される。
【０１２０】
（切断後における表示）
切断部４での切断を行った後は、デジタルメモリ素子６２１が抵抗６２０を介してＧＮＤと接続された状態となるので、デジタルメモリ素子６２１には「０」が入力される。このため、デジタルメモリ素子６２１を介して電源接続部６１９と接続している３ステートゲート・バスバッファ回路６２３ａ１〜６２３ｄ１へのゲート入力は何れも「１」となり、出力はハイインピーダンスになる。したがって、デジタルメモリ素子６１８ａ１〜６１８ｄ１からは電位が供給されない。
【０１２１】
一方、３ステートゲート・バスバッファ回路６２３ａ２〜６２３ｄ２は、抵抗６２０を介してＧＮＤと接続された状態となるので、これらの回路へのゲート入力は何れも「０」となる。したがって、付加回路６１５ａ〜６１５ｄには、デジタルメモリ素子６１８ａ２〜６１８ｄ２から電位が供給され、これに基づいて画像が表示される。
【０１２２】
以上のように、切断部４での切断が行われた後の状態では、デジタルメモリ素子６１８ａ２〜６１８ｄ２の保持する電位に基づく画像が表示部３’に表示される。
【０１２３】
（まとめ）
以上のように、表示部３’は、切断部４での切断前の状態では、電源部５から電源接続部６１９を介して切替配線６に所定の電位「１」が供給される。これにより、デジタルメモリ素子６１８ａ１〜６１８ｄ１に保持された電位が液晶セル６１４ａ〜６１４ｄに供給され、画像が表示される。また、このときには、デジタルメモリ素子６１８ａ２〜６１８ｄ２に保持された電位は液晶セル６１４ａ〜６１４ｄに供給されない。
【０１２４】
ここで、切断部４での切断を行うことにより、電源部５から切替配線６に所定の電位が供給されなくなる。これにより、デジタルメモリ素子６１８ａ２〜６１８ｄ２に保持された電位が液晶セル６１４ａ〜６１４ｄに供給され、画像が表示される。また、このときには、デジタルメモリ素子６１８ａ１〜６１８ｄ１に保持された電位は液晶セル６１４ａ〜６１４ｄに供給されない。
【０１２５】
すなわち、表示部３’は、電源接続部６１９を切り離すことによって、各画素において読み込み対象となるデジタルメモリ素子が切り替わる構成である。これにより、従来の表示装置では画像の切り替えに必須であった画像データの再書き込みを要さずに、表示部３’に表示される画像を切り替えることを可能にしている。
【０１２６】
例えば、切断前の状態で図８（ｂ）の画像を表示し、切断後に同図（ｃ）の画像に切り替える場合には、デジタルメモリ素子６１８ａ１、６１８ｄ１、…に同図（ｂ）の画像データを予め書き込んでおき、デジタルメモリ素子６１８ａ２、６１８ｄ２、…に同図（ｃ）の画像データを予め書き込んでおけばよい。これにより、表示部３’に表示される画像が、切断部４での切断によって、「封」から「開」に切り替わる。
【０１２７】
なお、表示部３’は、切り替え前の画像も、切り替え後の画像も、表示部３’が備える全画素を用いて描画することができるので、表示部３と比べて細密な描画が可能となる。また、表示部３では、画素の一部のみを用いて画像を表示する都合上、各画素はマトリクス状に配列していることが望ましいが、表示部３’は全ての画素を使っての表示が可能であるから、各画素は必ずしもマトリクス状に配列していなくともよい。
【０１２８】
（変形例２）
上記の例では、何れも切断部４での切断によって表示が切り替わる構成としていたが、表示の切り替えの契機は、切断部４での切断に限られない。ここでは、包装容器の開封をセンサで検出して、表示の切り替えを行う例について、図１０に基づいて説明する。図１０は、包装容器の開封をセンサで検出して表示の切り替えを行う表示付封緘シート１’の構成例を示す平面図である。
【０１２９】
なお、図示の表示付封緘シート１’は、表示部３を備えているが、表示付封緘シート１’は表示部３’を備えていてもよい。また、図示の表示付封緘シート１’は、切断部４を有しているが、表示付封緘シート１’は、切断部４での切断によって表示の切り替えを行うものではないので、切断部４を有していなくともよい。
【０１３０】
図示のように、表示付封緘シート１’の表示部３と電源接続部６１９との間には、切断部４の代わりに制御部１０が設けられている。また、制御部１０にはセンサ１１が接続されている。
【０１３１】
制御部１０は、センサ１１の出力に基づいて、電源接続部６１９から表示部３への電源供給を制御する。制御部１０は、ハードウェア（例えば回路）で構成してもよいし、ＣＰＵを用いてソフトウェアで構成してもよい。
【０１３２】
センサ１１は、表示付封緘シート１’が貼り付けられた包装容器の開封を検出するためのものである。センサ１１は、例えば光センサであってもよい。この場合には、センサ１１が、包装容器の内部の光を検出するように表示付封緘シート１’の取り付けを行う。例えば、センサ１１を包装容器の内部に差し込んでもよい。これにより、包装容器が開封されて、包装容器の内部に外光が差し込むことによって、表示画像の切り替えが行われる。
【０１３３】
ここで、表示付封緘シート１’は、包装容器の開封管理以外の用途に適用することもできる。例えば、表示付封緘シート１’では、センサ１１の代わりにタイマを設けることにより、所定の時間が経過したとき、または所定の日時に、表示の切り替えを行うこともできる。
【０１３４】
これは、商品の賞味期限などの管理に適用することができる。例えば、商品に表示付封緘シート１’を取り付けるときにその商品の賞味期限をタイマに設定しておき、賞味期限を過ぎたときに「賞味期限を過ぎました」等の表示を行うようにしてもよい。これにより、商品の賞味期限を誰にでもわかりやすい態様で管理することができる。
【０１３５】
また、表示付封緘シート１’のセンサ１１は、例えば加速度センサ、温度センサ、圧力センサ、磁気センサ等であってもよい。このように、センサの種類を変えることによって、表示付封緘シート１’を様々な用途に適用することができる。
【０１３６】
なお、表示の切り替えは、制御部１０による制御以外にも、例えばスイッチやボタン等の物理的手段で行うことも可能である。
【０１３７】
（切り替えの対象となる画像の数について）
上記表示部３及び３’は、１つの画像から別の画像に切り替えを行うものであるが、切り替えの対象となる画像は、３つ以上であってもよい。
【０１３８】
これは、表示部３の場合には、表示部３を構成する画素を複数の群に分けて、各群のそれぞれに表示する画像を規定することで実現可能である。また、表示部３’の場合には、切り替え対象の画素の数に応じて、画素部スイッチ素子６１１、デジタルメモリ素子６１８、及び３ステートゲート・バスバッファ回路６２３を増設することで実現可能である。
【０１３９】
これにより、表示部３及び３’は、予めデジタルメモリ素子に記憶されている３以上の画像の中から、１つの画像を表示することができる。なお、表示する画像の指定は、上記制御部１０が行うようにしてもよいし、スイッチやボタン等で行うようにしてもよい。
【０１４０】
（表示部３においてアクティブとする画素群について）
上記では、表示部３が、複数の群の何れか１つのみをアクティブとすることで、画像を表示する例について説明した。しかし、表示部３は、複数の群を同時にアクティブにして表示を行ってもよい。
【０１４１】
例えば、１つの画素群で「開＿」の画像が表示され、他の画素群で「＿封」の画像が表示されるように、デジタルメモリ素子６１８の電位を書き込んだ場合に、「開＿」の画像を表示する画素群と、「＿封」の画像を表示する画素群とを同時にアクティブとしてもよい。これにより、表示部３には「開封」と表示される。このように、アクティブとする画素群を組み合わせることにより、さらにバリエーションに富んだ表示を行うことが可能になる。
【０１４２】
（参考例）
ここでは、参考例として、画像を表示している状態から画像を表示していない状態への切り替えを行うことによって、包装容器の開封を提示する表示付封緘シート１００について、図１１について説明する。図１１は、表示付封緘シート１００の概要を説明する図であり、同図（ａ）は表示付封緘シート１００の構成例を示す平面図であり、同図（ｂ）は表示付封緘シート１００の使用態様を示す図である。
【０１４３】
同図（ａ）に示すように、表示付封緘シート１００は、台紙２に貼り付けられた表示部３”と、電源部５’とを配線６’で接続した構成である。表示付封緘シート１００では、物理的な力を加えることによって、電源部５’と配線６’とが外れるようになっており、電源部５’とを配線６’とが外れることによって、表示付封緘シート１００から、電源部５’が離脱するようになっている。
【０１４４】
表示部３”は、画像を表示できるものであればよく、特に限定されないが、消費電力の少ない画素メモリ内蔵液晶パネルが好適である。また、電源部５’は、表示部３”が画像を表示するために必要な電位を供給するものであり、図１の交流駆動用クロック６１６に相当する。
【０１４５】
表示付封緘シート１００では、電源部５’と配線６’とが接続されている状態においては、電源部５’からの電位の供給を受けて、表示部３”が所定の画像を表示する。そして、電源部５’と配線６’とが外れたときには、電源部５’からの電位の供給が断たれるので、表示部３”は画像が表示されない状態となる。
【０１４６】
すなわち、表示付封緘シート１００は、同図（ｂ）に示すように、包装容器が開封されたときに、電源部５’と配線６’とが外れるように、包装容器に貼り付けて使用する。これにより、包装容器が未開封の間は、表示部３”に画像が表示される。表示する画像は特に限定されないが、封印状態が一目で認識されるように、例えば、「封」や「開封すると使用許諾条件に同意したとみなされます」等の封印状態を示す画像を表示すればよい。
【０１４７】
そして、包装容器を開封したときには、電源部５’と配線６’とが外れて、表示部３”に表示された画像が消える。これにより、包装容器が開封されたことが、一目で認識される。
【０１４８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。例えば、上記実施形態で記載の回路は、同様の機能を有する他の構成で置換することが可能であり、このような構成についても本発明の技術的範囲に含まれる。
【産業上の利用可能性】
【０１４９】
本発明の表示部は、再書き込みを行うことなく表示する画像を切り替えることができるので、商品管理に用いる封緘具に好適である。無論、上記表示部は、封緘具に限られず、複数の画像を切り替えて表示する従来の表示装置と同様の広範な用途に適用できる。
【符号の説明】
【０１５０】
３  表示部（表示装置）
４  切断部
６  切替配線
７  分岐配線
６１４ａ〜６１４ｄ  液晶セル（表示素子）
６１８ａ〜６１８ｄ  デジタルメモリ素子（記憶素子）
６１９  電源接続部（表示制御手段）
６２０  抵抗（表示制御手段）
６２１  デジタルメモリ素子（表示制御手段）
６２２ａ〜６２２ｄ  ＡＮＤ回路（表示制御手段）
６２３ａ１〜６２３ｄ１、６２３ａ２〜６２３ｄ２  ３ステートゲート・バスバッファ回路（表示制御手段）
【図１】
2011013642.tif 000003
【図４】
2011013642.tif 000004
【図５】
2011013642.tif 000005
【図６】
2011013642.tif 000006
【図７】
2011013642.tif 000007
【図８】
2011013642.tif 000008
【図９】
2011013642.tif 000009
【図１０】
2011013642.tif 000010
【図１１】
2011013642.tif 000011
【図２】
2011013642.tif 000012
【図３】
2011013642.tif 000013